(57)【要約】【課題】ボルトのトルク管理を不要にし、バスバーの接続作業を容易にする。【解決手段】本発明は、雌バスバー４２を有する雌コネクタ３０と嵌合可能な雄コネクタ１０であって、端子保持部１３と、前端部１５Ｆが端子保持部１３の前方支持部１６Ｆに受けられ、雌コネクタ３０と嵌合することで雌バスバー４２と重なり合う雄バスバー１５と、端子保持部１３に移動可能に設けられた押さえブロック１４と、押さえブロック１４を移動させるボルト２０と、押さえブロック１４と雌バスバー４２との間に設けられ、押さえブロック１４に押圧されて弾性的に変形し、この変形によって生じた弾発力によって雌バスバー４２と雄バスバー１５の前端部１５Ｆとが弾性的に接触するバネ２３とを備えた構成としたところに特徴を有する。【選択図】図１
2011014498.tif 000002
【特許請求の範囲】
【請求項１】
相手側バスバーを有する相手側コネクタと嵌合可能なコネクタであって、
ハウジングと、
先端部が前記ハウジングに受けられ、前記相手側コネクタと嵌合することで前記相手側バスバーと重なり合うバスバーと、
前記ハウジングに移動可能に設けられた押さえブロックと、
前記押さえブロックを移動させる倍力装置と、
前記押さえブロックと前記相手側バスバーとの間に設けられ、前記押さえブロックに押圧されて弾性的に変形し、この変形によって生じた弾発力によって前記相手側バスバーと前記バスバーの先端部とが弾性的に接触するバネとを備えたコネクタ。
【請求項２】
前記押さえブロックは、前記バスバーの先端部における接触面に交差する方向に移動することを特徴とする請求項１に記載のコネクタ。
【請求項３】
前記バネは、前記押さえブロックにおける前記バスバーの先端部との対向部に設けられていることを特徴とする請求項１または請求項２に記載のコネクタ。
【請求項４】
前記ハウジングは複数の前記バスバーを備えるとともに、前記相手側コネクタは前記複数のバスバーに対応する複数の前記相手側バスバーを備えてなり、前記複数のバスバーの先端部が前記複数の相手側バスバーに一括して接続されることを特徴とする請求項１ないし請求項３のいずれか一項に記載のコネクタ。
【請求項５】
前記複数のバスバーは、前記バスバーの接触面に沿う方向に並んで配設されていることを特徴とする請求項４に記載のコネクタ。
【請求項６】
前記複数のバスバーは、前記バスバーの接触面と交差する方向に並んで配設されていることを特徴とする請求項４に記載のコネクタ。
【発明の詳細な説明】
【技術分野】
【０００１】
本発明は、コネクタに関する。
【背景技術】
【０００２】
一般に、ハウジングの内部にバスバーが設けられたコネクタが知られている。このようなコネクタと嵌合可能な相手側コネクタは、前記バスバーと接続可能な相手側バスバーを備えている。両コネクタを嵌合すると、バスバーが相手側バスバーに重ねて配置され、これらのバスバーをボルト止めすることにより、両バスバーが導通可能に接続されるようになっている。
【０００３】
一方、複数のバスダクトを重ね合わせて接続する技術として、例えば下記特許文献１に記載のものが知られている。このバスダクトは、主に電線ケーブル同士を接続するために用いられるものである。この接続は、複数のバスダクトを重ね合わせた上で、ボルト締結によって複数のバスダクトを上下両側から挟み付けることによって行われる。
【先行技術文献】
【特許文献】
【０００４】
【特許文献１】特開平１０−１０８３４２号公報
【発明の概要】
【発明が解決しようとする課題】
【０００５】
上記したバスダクトの接続構造を上記したコネクタにそのまま適用した場合、ハウジングの上部から下部に亘る形態で長いボルトを設置する必要があるため、このボルトを支持するハウジング自体も大型化する懸念がある。そこで、短めのボルトをハウジングの上部のみに設置し、ボルトの締め込みによってバスバーを上方から押圧し相手側バスバーに接続することが考えられる。しかしながら、ボルトを締め込みすぎると、ボルトを支持するハウジングが変形するなどのおそれがある。この対策として、ボルトのトルク管理を行うとなると、バスバーの接続作業が煩雑になる。
【０００６】
本発明は上記のような事情に基づいて完成されたものであって、ボルトのトルク管理を不要にし、バスバーの接続作業を容易にすることを目的とする。
【課題を解決するための手段】
【０００７】
本発明は、相手側バスバーを有する相手側コネクタと嵌合可能なコネクタであって、ハウジングと、先端部がハウジングに受けられ、相手側コネクタと嵌合することで相手側バスバーと重なり合うバスバーと、ハウジングに移動可能に設けられた押さえブロックと、押さえブロックを移動させる倍力装置と、押さえブロックと相手側バスバーとの間に設けられ、押さえブロックに押圧されて弾性的に変形し、この変形によって生じた弾発力によって相手側バスバーとバスバーの先端部とが弾性的に接触するバネとを備えた構成としたところに特徴を有する。
【０００８】
このような構成によると、両コネクタを嵌合させ、相手側バスバーとバスバーを重ね合わせた後に、倍力装置によって押さえブロックを移動させる。このようにすると、両コネクタの嵌合時に両バスバーの接触面同士が摺接して損傷することはなく、両バスバーの接触面同士の摩擦抵抗が発生しないため、両コネクタの嵌合操作力を低減できる。押さえブロックを移動させると、バネが押さえブロックと相手側バスバーとの間で挟まれて弾性的に変形し、これによって生じた弾発力によって相手側バスバーとバスバーの先端部とが弾性的に接触する。つまり、バスバーの先端部はハウジングに受けられているため、両バスバーが密着し、導通可能に接続される。このようにすると、バネの弾発力によって接圧が決定されるため、ボルトのトルク管理が不要になる。したがって、バスバーの接続作業を容易にすることができる。
【０００９】
本発明の実施の態様として、以下の構成が好ましい。
押さえブロックは、バスバーの先端部における接触面に交差する方向に移動する構成としてもよい。
このような構成によると、押さえブロックの移動に伴ってバスバーの先端部に対して直接的に接圧を印可することができる。
【００１０】
バネは、押さえブロックにおけるバスバーの先端部との対向部に設けられている構成としてもよい。
このような構成によると、バネとハウジングとの間でバスバーの先端部を挟持することができ、バスバーの先端部に対して接圧を印可しやすくなる。
【００１１】
ハウジングは複数のバスバーを備えるとともに、相手側コネクタは複数のバスバーに対応する複数の相手側バスバーを備えてなり、複数のバスバーの先端部が複数の相手側バスバーに一括して接続される構成としてもよい。
このような構成によると、複数のバスバーの先端部を複数の相手側バスバーに一括して接続することができる。
【００１２】
複数のバスバーは、バスバーの接触面に沿う方向に並んで配設されている構成としてもよい。
このような構成によると、コネクタをその接触面と対向する方向に低背化することができる。
【００１３】
複数のバスバーは、バスバーの接触面と交差する方向に並んで配設されている構成としてもよい。
このような構成によると、コネクタをその接触面と交差する方向に低背化することができる。
【発明の効果】
【００１４】
本発明によれば、ボルトのトルク管理を不要にし、バスバーの接続作業を容易にすることができる。
【図面の簡単な説明】
【００１５】
【図１】実施形態１において両コネクタを嵌合させる前の内部構造を側方から見た断面図
【図２】両コネクタを嵌合させてボルトで接圧を印可する前の内部構造を側方から見た断面図
【図３】両コネクタを嵌合させてボルトで接圧を印可した後の内部構造を側方から見た断面図
【図４】両コネクタを嵌合させてボルトで接圧を印可する前の内部構造を正面から見た断面図
【図５】両コネクタを嵌合させてボルトで接圧を印可した後の内部構造を正面から見た断面図
【図６】雄コネクタの正面図
【図７】雄コネクタの平面図
【図８】雄コネクタの側面図
【図９】実施形態２において両コネクタを嵌合させる前の内部構造を側方から見た断面図
【図１０】両コネクタを嵌合させてボルトで接圧を印可する前の内部構造を側方から見た断面図
【図１１】両コネクタを嵌合させてボルトで接圧を印可した後の内部構造を側方から見た断面図
【図１２】両コネクタを嵌合させてボルトで接圧を印可する前の内部構造を正面から見た断面図
【図１３】両コネクタを嵌合させてボルトで接圧を印可した後の内部構造を正面から見た断面図
【図１４】雄コネクタの正面図
【図１５】雄コネクタの平面図
【図１６】雄コネクタの側面図
【図１７】実施形態３において両コネクタを嵌合させる前の内部構造を側方から見た断面図
【図１８】両コネクタを嵌合させてボルトで接圧を印可する前の内部構造を側方から見た断面図
【図１９】両コネクタを嵌合させてボルトで接圧を印可した後の内部構造を正面から見た断面図
【発明を実施するための形態】
【００１６】
＜実施形態１＞
本発明の実施形態１を図１ないし図８の図面を参照しながら説明する。本実施形態の雄コネクタ（本発明の「コネクタ」の一例）１０は、図１に示すように、自動車用のインバータなどの機器（図示せず）と一体に形成されており、この機器は、機器本体を収容してなる機器側ケースを備えた周知の構成とされている。この機器側ケースは金属製で、自動車のボディ（図示せず）に固定されている。機器側ケースは、雄コネクタ１０を構成する金属製の雄シールドシェル１１と一体に、あるいは、雄シールドシェル１１と導通可能に接続されている。
【００１７】
雄コネクタ１０は雌コネクタ３０と嵌合可能とされており、以下の説明において前後方向とは両コネクタ１０，３０の嵌合方向を基準とし、互いの嵌合面側を前側とする。雄シールドシェル１１の内部には、前後方向に貫通する形態をなす取付孔１２が形成されている。取付孔１２の略前半部には、雌コネクタ３０の次述する端子収容部３１が内部に収容される。また、取付孔１２の略後半部には、後述する合成樹脂製の端子保持部１３などが収容されている。
【００１８】
雌コネクタ３０は合成樹脂製の端子収容部３１を有しており、この端子収容部３１の内部には、前後方向に貫通する形態をなす複数のキャビティ３２が横並びに並設されている。各キャビティ３２には、電線Ｗの端末に接続された端子４０がそれぞれ収容されている。電線Ｗは、芯線が被覆で覆われてなる周知の構成である。この電線Ｗの端末にて被覆を除去することで芯線が露出されており、この芯線が端子４０の圧着部４１によって圧着されている。
【００１９】
端子収容部３１の略後半部は、雌シールドシェル３３によって覆われている。両コネクタ１０，３０を嵌合すると、図３に示すように、雌シールドシェル３３の端部と雄シールドシェル１１の端部とがほぼ連続し、両コネクタ１０，３０を覆うように構成されている。なお、図示はしないものの、雌シールドシェル３３の後端側（左端側）の外周面には、編組線（図示せず）が圧着されるようになっている。このため、電線Ｗから機器側ケースに亘る範囲が、編組線、雌シールドシェル３３、および雄シールドシェル１１によってシールドされる。
【００２０】
端子４０は板状をなす雌バスバー４２を有しており、この雌バスバー４２は、図１に示すように、圧着部４１から前方に突出している。雌バスバー４２は、キャビティ３２の前端開口を貫通し、前方に突出している。横並びに並設された各雌バスバー４２は、その上下面が水平姿勢となるように配置されており、各雌バスバー４２の上下面が左右方向に並ぶように配置されている。
【００２１】
キャビティ３２の前端下面には、片持ち状をなして前方に突出するランス３４が形成されている。このランス３４は、雌バスバー４２に形成された係止孔４２Ａに下方から入り込んで係止する係止突部３４Ａを有している。係止突部３４Ａが係止孔４２Ａに係止することにより、雌バスバー４２が後方に抜け止めされた状態でキャビティ４２に保持される。
【００２２】
キャビティ３２の後端開口には、ゴム栓５０が装着されている。ゴム栓５０は、電線Ｗの外周面とキャビティ３２の内周面の双方に密着している。また、ゴム栓５０の後方には、バックリテーナ６０が装着されている。このバックリテーナ６０は、雌シールドシェル３３の後端内周面に係止されており、バックリテーナ６０によってゴム栓５０が後方に抜け止めされている。これにより、キャビティ３２の後端開口から内部に水が浸入することが規制されている。
【００２３】
また、端子収容部３１の前後方向ほぼ中央部における外周面には、装着溝３５が周設されている。この装着溝３５には、環状をなすゴムリング７０が装着されている。ゴムリング７０は、両コネクタ１０，３０の嵌合に伴って装着溝３５と取付孔１２の内周面の双方に密着するようになっている。これにより、図３に示すように、両コネクタ１０，３０の嵌合時に端子収容部３１と雄シールドシェル１１との間から内部に水が浸入することが規制されている。
【００２４】
雄コネクタ１０は、図１に示すように、雄シールドシェル１１、端子保持部１３、押さえブロック１４、雄バスバー１５、ボルト２０、フロントマスク２１、バネ２３などを備えて構成されている。雄コネクタ１０は、図６ないし図８に示すように、横長方形の略ブロック状をなしている。雄シールドシェル１１は、図６に示すように、横方向に張り出し形成された４つの取付片部１１Ａを有し、取付片部１１Ａにはそれぞれ固定孔１１Ｂが貫通形成されている。固定孔１１Ｂにそれぞれボルト（図示せず）を通し、機器側ケースに締め込むことにより、雄シールドシェル１１が機器側ケースに導通可能に接続された状態で固定される。なお、本発明でいう「ハウジング」は雄シールドシェル１１と端子保持部１３とに対応している。
【００２５】
端子保持部１３には、押さえブロック１４を内部に収容する収容空間１７が形成されている。この収容空間１７は、前方と上方に亘って開口する形態をなしており、フロントマスク２１が装着されることにより、その前方側が覆われるようになっている。フロントマスク２１には、図６に示すように、雌バスバー４２を進入させる３つの進入孔２１Ａが形成されている。
【００２６】
雄バスバー１５は金属製の板状をなし、端子保持部１３に対して圧入もしくはインサート成形によって一体に形成されている。雄バスバー１５は、図４に示すように、横並びに３つが並設されている。これらの雄バスバー１５は、その接触面（上面）が同一平面上に並ぶようにして横一列に配置されている。また、各雄バスバー１５は、各雌バスバー４２と対応して配置されている。このため、両コネクタ１０，３０を嵌合させると、各雌バスバー４２が各進入孔２１Ａから収容空間１７に進入し、各雄バスバー１５の前端部（先端部）１５Ｆにおける接触面に重なるように配置される。
【００２７】
雄バスバー１５の後端部１５Ｒは、取付孔１２の後端開口から後方に（機器側ケース内に）突出しており、これに伴って雄バスバー１５の後端部１５Ｒを受ける後方支持部１６Ｒが端子保持部１３の後端面から後方に張り出し形成されている。雄バスバー１５の後端部１５Ｒには、ボルト（図示せず）を挿通可能な円孔１５Ａが貫通形成されている。また、後方支持部１６Ｒには、円孔１５Ａと同軸かつ同径をなす挿通孔Ｈが貫通形成されている。円孔１５Ａと挿通孔Ｈにボルト（図示せず）を通し、機器本体に設けられた端子台（図示せず）に締め込むことにより、雄バスバー１５が端子台に接続される。
【００２８】
雄バスバー１５の前端部１５Ｆは、図１に示すように、端子保持部１３と一体に形成された前方支持部１６Ｆによって支持されている。前方支持部１６Ｆは、収容空間１７の下面を構成している。前方支持部１６Ｆと後方支持部１６Ｒは、ほぼ同一高さに配置され、かつ、雄バスバー１５の前後両端部１５Ｆ，１５Ｒの下面をそれぞれ受けるように配置されている。
【００２９】
押さえブロック１４は合成樹脂製とされ、図４に示すように、収容空間１７のほぼ全幅に亘る横長に形成されている。このため、押さえブロック１４は、収容空間１７の内部において左右方向に移動することが規制されている。また、押さえブロック１４は、収容空間１７の内部において図４に示す開放位置と、図５に示す印可位置との間を上下方向に移動することが許容されている。この押さえブロック１４はボルト（本発明の「倍力装置」の一例）２０と一体に組み付けられており、このボルト２０の倍力作用によって上下方向に移動可能とされている。
【００３０】
ボルト２０は、図４に示すように、雄シールドシェル１１の上面側に突出して設けられたボルト支持部１１Ｃに支持されている。ボルト支持部１１Ｃの内部は、ボルト２０と螺合可能なねじ孔が貫通形成されており、このねじ孔にボルト２０が螺合されている。したがって、ねじ孔に螺合したボルト２０を回すと、ボルト２０がボルト支持部１１Ｃに対して上下方向に移動し、これに連動して押さえブロック１４が上下方向に移動することになる。なお、ボルト２０の頭部下面には、パッキン２２が装着されており、ボルト２０の締め込みに伴ってパッキン２２がボルト２０の頭部下面とボルト支持部１１Ｃの上面との双方に密着することにより、ねじ孔に水が浸入することが規制される。
【００３１】
押さえブロック１４の下面には、板バネからなるバネ２３が装着されている。バネ２３は、図４に示すように、横並びに３つが並設され、各雄バスバー１５の前端部１５Ｆと対応して配置されている。バネ２３は、略山形をなす弾性接触片を有し、この弾性接触片を挟む両側に一対の圧入部が設けられている。両圧入部を押さえブロック１４に対して圧入することにより、バネ２３が押さえブロック１４に固定されている。各バネ２３の間には隔壁１４Ａが形成され、左右両端のバネ２３の外側には保護壁１４Ｂが形成されている。隔壁１４Ａと保護壁１４Ｂはいずれも押さえブロック１４の下面から下方に突出して形成されている。
【００３２】
また、隔壁１４Ａの下端には、下方に突出する突部１４Ｃが形成されている。一方、前方支持部１６Ｆにおいて突部１４Ｃと対向する位置には、図４に示すように、突部１４Ｃと嵌合可能な凹部１６Ａが形成されている。押さえブロック１４を開放位置から印可位置に移動させると、図５に示すように、各突部１４Ｃが各凹部１６Ａに嵌合し、隣り合う雄バスバー１５および雌バスバー４２が隔離される。さらに、バネ２３が雌バスバー４２の上面に弾性的に接触し、雌バスバー４２が雄バスバー１５の前端部１５Ｆを押圧することで、両バスバー１５，４２に対して所定の接圧が印可される。
【００３３】
すなわち、バネ２３が弾性的に変形すると、この変形によって弾発力が生じ、この弾発力によって雌バスバー４２が下方に押圧される。そして、雄バスバー１５の前端部１５Ｆは、前方支持部１６Ｆに受けられて下方への移動が規制されているため、バネ２３と前方支持部１６Ｆとの間で両バスバー１５，４２が挟持されることになる。このため、両バスバー１５，４２に十分な接圧が印可される。
【００３４】
本実施形態を以上のような構成であって、続いてその作用を説明する。まず、図１に示すように押さえブロック１４を開放位置にセットした上で、両コネクタ１０，３０を嵌合させる。このとき、図２に示すように雌バスバー４２がフロントマスク２１の進入孔２１Ａから収容空間１７に進入し、雄バスバー１５の前端部１５Ｆと重なり合うものの、この時点では両バスバー１５，４２に未だ接圧が印可されておらず、摩擦抵抗を生じさせないため、両コネクタ１０，３０の嵌合操作力は極めて低いもので足りる。この結果、両バスバー１５，４２の接触面に傷が付くことはなく、両コネクタ１０，３０の挿抜を繰り返し行った場合でも両バスバー１５，４２の接触面同士が摩耗することもない。
【００３５】
次に、ボルト２０を回して押さえブロック１４を開放位置から印可位置へ移動させる。すると、図３および図４に示すように、各バネ２３が各雌バスバー４２に対して上方から弾性的に接触し、各バネ２３の弾発力によって各雌バスバー４２が各雄バスバー１５に押圧される。このとき、各雄バスバー１５は、前方支持部１６Ｆに受けられているため、下方へ移動することがなく、両バスバー１５，４２に対して一括して所定の接圧が印可される。したがって、両バスバー１５，４２が一括して導通可能に接続されるとともに、両バスバー１５，４２の接触面間に生じる摩擦抵抗によって両コネクタ１０，３０の離脱も規制される。これにより、両コネクタ１０，３０は正規嵌合状態に保持される。
【００３６】
ここで、所定の接圧は専らバネ２３の撓み量によって決定され、所定の接圧を得ることができるバネ２３の撓み量の範囲にはある程度の幅があるため、管理が容易になる。特に本実施形態では、押さえブロック１４の移動方向と両バスバー１５，４２に与える接圧の印可方向とが同一であるため、押さえブロック１４を開放位置から印可位置まで移動させるという簡単な操作によってバネ２３の撓み量を決定できる。この結果、ボルト２０のトルク管理をしなくて接圧を管理することができ、両バスバー１５，４２の接続作業を容易にすることができる。
【００３７】
以上のように本実施形態では両コネクタ１０，３０を嵌合させた後に両バスバー１５，４２に接圧を印可するようにしたから、両コネクタ１０，３０の嵌合操作力を極めて低くすることができる。また、ボルト２０を回して押さえブロック１４を下方へ移動させることにより、各バネ２３の弾発力によって所定の接圧を印可するようにしたから、ボルト２０を締め込む際のトルクの管理を不要にすることができる。すなわち、各雄バスバー１５を前方支持部１６Ｆで支持しつつ、両バスバー１５，４２に所定の接圧を印可し、両バスバー１５，４２の接続作業を行うことが可能になる。
【００３８】
また、押さえブロック１４を雄バスバー１５の接触面と交差する上下方向に移動可能とし、押さえブロック１４の下面にバネ２３を設けたから、押さえブロック１４の移動量によってバネ２３の弾発力が決定され、両バスバー１５，４２に印可される接圧を管理できる。また、各雄バスバー１５を左右一列に配置したから、雄コネクタ１０を上下方向に低背化することができる。また、各バスバー１５，４２を一括接続するようにしたから、各バスバー１５，４２を個別に接続する必要がなく、単一のボルト２０を締め込むことで両バスバー１５，４２の接続作業を完了させることができる。
【００３９】
＜実施形態２＞
次に、本発明の実施形態２を図９ないし図１６の図面を参照しながら説明する。本実施形態は、両バスバー１５，４２を上下方向に配置したものであって、実施形態１と対応する構成については同一の符号を付すものとし、実施形態１と重複する構成、作用、および効果についてはその説明を省略する。また、実施形態２の図９ないし図１１では実施形態１の図１ないし図３とは異なり、雄コネクタ８０を図示左側に配置し、雌コネクタ９０を図示右側に配置したものを図示してある。
【００４０】
図９に示すように、図示右側の雌コネクタ９０では、端子４０が上下方向に配置されている。各端子４０を収容する各キャビティ３２も上下方向に配置されている。さらに、各キャビティ３２を構成する端子収容部９１およびこの端子収容部９１の略後半部を覆う雌シールドシェル９２も、図示はしないものの、正面から見ると上下方向に長い形態をなしている。各雌バスバー４２は、その上下面が水平姿勢となるように配置されており、各雌バスバー４２の上下面が上下方向に対向状態で並んで配置されている。
【００４１】
一方、雄コネクタ８０は雌コネクタ９０と嵌合可能とされており、図１４ないし図１６に示すように、雌コネクタ９０に対応して上下方向に長い形態をなしている。図９に示すように、図示左側の雄コネクタ８０では、雄バスバー１５が上下方向に配置されている。各雄バスバー１５は、その上下面が水平姿勢となるように配置されている。このため、各雄バスバー１５の前端部１５Ｆおよび後端部１５Ｒでは、その上下面が上下方向に対向状態で並んで配置されている。
【００４２】
各雄バスバー１５を保持する端子保持部８１は、上下方向に長い形態をなし、雄バスバー１５毎に前方支持部８２が設けられている。この端子保持部８１は、前方に開口する形態をなすフード部８３を有している。フード部８３の開口部には、フロントマスク８６が装着されている。このフロントマスク８６は、フード部８３の前端開口を覆う形態とされている。フロントマスク８６の前面には、雌バスバー４２を進入させる進入孔８６Ａが形成されている。なお、フード部８３の天井壁８３Ｄには、ボルト２０を挿通させる挿通孔Ｈ１が貫通形成されている。
【００４３】
フード部８３の右側壁８３Ａには、図１２に示すように、切欠部８４が形成されており、同左側壁８３Ｂには、前方支持部８２がフード部８３の内部側（左側壁８３Ｂ側）に張り出し形成されている。この前方支持部８２は、図９に示すように、フード部８３の奥壁８３Ｃにも連結されている。すなわち、前方支持部８２は棚状に張り出す形態とされているものの、フード部８３の右側壁８３Ａと奥壁８３Ｃの双方に対して連結されているため、雄バスバー１５を強固に支持することができるようになっている。
【００４４】
フード部８３の内部には、押さえブロック８５が収容されており、この押さえブロック８５は、フード部８３の内部において図１２に示す開放位置と図１３に示す印可位置との間を上下方向に移動可能とされている。押さえブロック８５は、図１２に示すように、フード部８３の切欠部８４に嵌るベース部８５Ａと、このベース部８５Ａから棚状に張り出すバネ装着部８５Ｂとを備えて構成されている。バネ装着部８５Ｂの下面には、バネ２３が装着されている。押さえブロック８５は、各バネ装着部８５Ｂが各前方支持部８２と上下方向に対向する配置でフード部８３内に装着されている。
【００４５】
なお、図１２に示すように、バネ装着部８５Ｂの左右両側には、一対の保護壁８５Ｃが形成されており、両保護壁８５Ｃの下端部は、前方支持部８２における雄バスバー１５の左右両側部分と上下方向に凹凸嵌合するように構成されている。これにより、バネ装着部８５Ｂと前方支持部８２との左右方向の位置決めが可能である。さらに、バネ装着部８５Ｂに装着保持されたバネ２３と前方支持部８２に支持された雄バスバー１５との左右方向の位置決めが可能である。
【００４６】
本実施形態は以上のような構成であって、続いてその作用を簡単に説明する。まず、図９に示すように、押さえブロック８５を開放位置にセットしておき、両コネクタ８０，９０を嵌合すると、両バスバー１５，４２に未だ接圧が印可されていないため、小さな嵌合操作力で両コネクタ８０，９０を嵌合させることができる。次に、ボルト２０を締め込むことにより図１０または図１２に示す開放位置から図１１または図１３に示す印可位置に押さえブロック８５を移動させる。すると、バネ２３と両バスバー１５，４２が、バネ装着部８５Ｂと前方支持部８２との間に挟持され、バネ２３の弾発力によって両バスバー１５，４２が所定の接圧で接触し、複数のバスバー１５，４２が一括して接続される。
【００４７】
以上のように本実施形態では、各バスバー１５，４２を上下方向に並べて配置したから、両コネクタ８０，９０を左右方向に小型化することができる。特に本実施形態では、押さえブロック８５の移動により両バスバー１５，４２に与える接圧の印可方向に全てのバスバー１５，４２を同軸で配置したから、ボルト２０の締め付け力が各バスバー１５，４２に伝わりやすくなる。さらに、押さえブロック８５をフード部８３内に収容し、前方支持部８２の二辺をフード部８３に固定したから、押さえブロック８５の傾きや前方支持部８２の撓みの影響が少なくなり、ボルト２０のトルク管理をしなくても両バスバー１５，４２に対して所定の接圧を与えることができる。
【００４８】
＜実施形態３＞
次に、本発明の実施形態３を図１７ないし図１９の図面を参照しながら説明する。実施形態３は、実施形態１における雄コネクタ１０の構成を一部変更したものであって、実施形態１と対応する構成については同一の符号を付すものとし、実施形態１と重複する構成、作用、および効果についてはその説明を省略する。すなわち、実施形態１の雄コネクタ１０は、押さえブロック１４が雄バスバー１５の接触面（上面）に交差する上下方向に移動可能とされていたのに対して、本実施形態の雄コネクタ１００は、押さえブロック１０１が雄バスバー１５の接触面（上面）に沿う前後方向に移動可能とされている点で異なっている。
【００４９】
図１と図１７を比較すればわかるように、雄シールドシェル１０２の略後半部は実施形態１と異なる形態をなしており、ボルト支持部１０３が雄シールドシェル１０２の後面に形成されている。ボルト支持部１０３には、ボルト２０と螺合可能なねじ孔１０３Ａが前後方向に貫通形成されている。このため、ボルト２０を回すと、ボルト２０と一体に形成された押さえブロック１０１が図１８に示す開放位置と図１９に示す印可位置との間を移動可能となっている。なお、バネ２３は押さえブロック１０１の下面に形成されており、雄バスバー１５の前端部１５Ｆが前方支持部１６Ｆによって支持されている点は実施形態１と同じである。
【００５０】
続いて本実施形態の作用について簡単に説明する。まず、図１７に示すように、押さえブロック１０１を開放位置にセットしておき、両コネクタ１００，３０を嵌合すると、両バスバー１５，４２に未だ接圧が印可されていないため、小さな嵌合操作力で両コネクタ１００，３０を嵌合させることができる。この結果、雌バスバー４２が雄バスバー１５の前端部１５Ｆの接触面（上面）に重なり合う。
【００５１】
次に、ボルト２０を締め込むことにより図１８に示す開放位置から図１９に示す印可位置に押さえブロック１０１を移動させる。すると、バネ２３が雌バスバー４２の上面に乗り上げ、雄バスバー１５の前端部１５Ｆが前方支持部１６Ｆで受けられることによってバネ２３が弾性的に変形し、この変形によって生じたバネ２３の弾発力によって両バスバー１５，４２が所定の接圧で接触し、複数のバスバー１５，４２が一括して接続される。
【００５２】
以上のように本実施形態では、ボルト支持部１０３を雄シールドシェル１０２の後面に形成し、ボルト２０を前後方向に移動可能にしたから、実施形態１の雄コネクタ１０よりも本実施形態の雄コネクタ１００のほうが上下方向に低背化することが可能になる。なお、バネ２３が雌バスバー４２の上面に乗り上げることにより、バネ２３と雌バスバー４２の上面との間に摩擦抵抗が発生し、押さえブロック１０１を移動させる操作力が大きくなるものの、押さえブロック１０１の移動操作は、そもそも倍力装置であるバネ２３によって行われるため何ら問題にはならない。
【００５３】
＜他の実施形態＞
本発明は上記記述及び図面によって説明した実施形態に限定されるものではなく、例えば次のような実施形態も本発明の技術的範囲に含まれる。
（１）上記実施形態では倍力装置としてボルト２０を例示しているものの、本発明によると、倍力装置として回動式のレバーを使用し、カム作用を発揮させて押さえブロックを移動させてもよい。
【００５４】
（２）実施形態１と２では板ばねからなるバネ２３を例示しているものの、本発明によると、コイルばねからなるバネとしてもよい。
（３）上記実施形態では雄シールドシェルを備えた雄コネクタとしているものの、本発明によると、雄シールドシェルを備えていない雄コネクタとしてもよい。この場合、ボルト２０を支持するボルト支持部を端子保持部１３に設ければよい。
【００５５】
（４）上記実施形態では押さえブロックにバネ２３を固定しているものの、本発明によると、端子保持部にバネ２３を固定してもよい。
（５）上記実施形態では複数のバスバーが一括して接続されるものを例示しているものの、本発明によると、複数のバスバーを個別に接続するものであってもよい。
【符号の説明】
【００５６】
１０…雄コネクタ（コネクタ）
１１…雄シールドシェル（ハウジング）
１３…端子保持部（ハウジング）
１４…押さえブロック
１５…雄バスバー（バスバー）
１５Ｆ…前端部（先端部）
１６Ｆ…前方支持部（ハウジング）
１６Ｒ…後方支持部（ハウジング）
２０…ボルト（倍力装置）
２３…バネ
３０…雌コネクタ（相手側コネクタ）
４２…雌バスバー（相手側バスバー）
８０…雄コネクタ（コネクタ）
８１…端子保持部（ハウジング）
８２…前方支持部（ハウジング）
８５…押さえブロック
９０…雌コネクタ（相手側コネクタ）
１００…雄コネクタ（コネクタ）
１０１…押さえブロック
【図１】
2011014498.tif 000003
【図２】
2011014498.tif 000004
【図３】
2011014498.tif 000005
【図４】
2011014498.tif 000006
【図５】
2011014498.tif 000007
【図６】
2011014498.tif 000008
【図７】
2011014498.tif 000009
【図８】
2011014498.tif 000010
【図９】
2011014498.tif 000011
【図１０】
2011014498.tif 000012
【図１１】
2011014498.tif 000013
【図１２】
2011014498.tif 000014
【図１３】
2011014498.tif 000015
【図１４】
2011014498.tif 000016
【図１５】
2011014498.tif 000017
【図１６】
2011014498.tif 000018
【図１７】
2011014498.tif 000019
【図１８】
2011014498.tif 000020
【図１９】
2011014498.tif 000021